(57)【要約】【課題】第１搬送ラインにより搬送されたＩＣカードを第２搬送ライン上に安定して載置する。【解決手段】第１搬送ライン３２と第２搬送ライン３３との間に、ＩＣカード１を保持しながら移送する搬送ローラ５５，５８を含む。搬送ローラ５５，５８近傍に第１リーダライタ２７が設けられている。搬送ローラ５５，５８の下端部に下部回転機構５２が設けられている。下部回転機構５２は回転ローラ５７と、回転ローラ５７の周囲を回動するとともに、回転ローラ５７との間でＩＣカード１を挟持するニップローラ５９ａを含む回転フラップ５９を有する。【選択図】図１
2020111450.tif 000002
【特許請求の範囲】
【請求項１】
カードに対して印刷を施すカード用プリンタにおいて、
前記カードを水平方向に搬送する第１搬送ラインと、
前記第１搬送ラインの下方に配置され、前記カードを水平方向に搬送する第２搬送ラインと、
前記第１搬送ラインの出口と前記第２搬送ラインの入口との間に配置され、前記カードを垂直方向に向けて前記カードを挟持しながら移送する複数の搬送ローラとを備え、
前記複数の搬送ローラの下端部に、前記カードの向きを垂直方向から水平方向に変える下部回転機構が設けられ、
前記下部回転機構は回転ローラと、この回転ローラの周囲を回動する回転フラップとを有し、前記回転フラップには前記回転ローラとの間で前記カードを挟持する回転フラップ用ニップローラが取り付けられている、カード用プリンタ。
【請求項２】
前記下部回転機構の下方に排出ラインが接続され、不良品のカードがきた際、前記下部回転機構の前記回転フラップは回動することなく、前記不良品のカードを前記排出ラインを介して下方外方へ排出する、請求項１記載のカード用プリンタ。
【請求項３】
前記回転フラップの回動中心は、前記回転ローラの回転中心に一致する、請求項１または２記載のカード用プリンタ。
【請求項４】
前記搬送ローラ、前記回転ローラおよび前記回転フラップ用ニップローラは、前記カードの印刷領域外方の外方領域において前記カードに当接する、請求項１乃至３のいずれか記載のカード用プリンタ。
【請求項５】
前記搬送ローラは駆動ローラと搬送ローラ用ニップローラとを有し、前記回転ローラおよび前記駆動ローラは、各々搬送ベルトにより駆動され、この駆動ベルトは前記カードに当接しない、請求項１乃至４のいずれか記載のカード用プリンタ。
【発明の詳細な説明】
【技術分野】
【０００１】
本開示は、運転免許証、クレジットカード、キャッシュカード、社員証、身分証、その他のＩＣカードやＩＤカードを作成するために用いられるカード用プリンタに関する。
【背景技術】
【０００２】
従来より運転免許証、クレジットカード、キャッシュカード、社員証、身分証、その他のＩＣカードやＩＤカードを作成するためカード用プリンタが用いられている。
【０００３】
このカード用プリンタは多数のカードを多層に積載したＩＣカード用ホッパーを有する。そしてＩＣカード用ホッパーからのＩＣカードが一枚ずつ第１搬送ラインに移されて搬送される。
【０００４】
第１搬送ラインにより搬送されたＩＣカードはその後、カード用プリンタ内の印刷部に送られて印刷が施され、さらに第１搬送ライン上のＩＣカードは落下部まで送られる。その後、落下部に設けられた書込部においてカードに内蔵されたＩＣチップに必要な情報が書き込まれる。
【０００５】
次にＩＣチップに必要な情報が書き込まれたＩＣカードは、落下部内で第２搬送ラインまで自然落下し、第２搬送ライン上を搬送される。次に第２搬送ラインにより搬送される間、ＩＣカードに対して保護シートが設けられる。
【０００６】
ところでＩＣカードを落下部内で第２搬送ラインまで自然落下させる際、第２搬送ライン上でＩＣカードが跳ね上がり、第２搬送ライン上にＩＣカードを安定した姿勢で載置することがむずかしい場合がある。
【先行技術文献】
【特許文献】
【０００７】
【特許文献１】特開２００７−９９４０７号公報
【発明の概要】
【発明が解決しようとする課題】
【０００８】
本開示はこのような点を考慮してなされたものであり、第１搬送ラインにより搬送されるカードを第２搬送ラインまで搬送する際、カードを第２搬送ライン上で跳ね上がることなく安定して第２搬送ライン上に載置することができるカード用プリンタを提供することを目的とする。
【課題を解決するための手段】
【０００９】
本開示は、カードに対して印刷を施すカード用プリンタにおいて、前記カードを水平方向に搬送する第１搬送ラインと、前記第１搬送ラインの下方に配置され、前記カードを水平方向に搬送する第２搬送ラインと、前記第１搬送ラインの出口と前記第２搬送ラインの入口との間に配置され、前記カードを垂直方向に向けて前記カードを挟持しながら移送する複数の搬送ローラとを備え、前記複数の搬送ローラの下端部に、前記カードの向きを垂直方向から水平方向に変える下部回転機構が設けられ、前記下部回転機構は回転ローラと、この回転ローラの周囲を回動する回転フラップとを有し、前記回転フラップには前記回転ローラとの間で前記カードを挟持する回転フラップ用ニップローラが取り付けられている、カード用プリンタである。
【００１０】
本開示は、前記下部回転機構の下方に排出ラインが接続され、不良品のカードがきた際、前記下部回転機構の前記回転フラップは回動することなく、前記不良品のカードを前記排出ラインを介して下方外方へ排出する、カード用プリンタである。
【００１１】
本開示は、前記回転フラップの回動中心は、前記回転ローラの回転中心に一致する、カード用プリンタである。
【００１２】
本開示は、前記搬送ローラ、前記回転ローラおよび前記回転フラップ用ニップローラは、前記カードの印刷領域外方の外方領域において前記カードに当接する、カード用プリンタである。
【００１３】
本開示は、前記搬送ローラは駆動ローラと搬送ローラ用ニップローラとを有し、前記回転ローラおよび前記駆動ローラは、各々搬送ベルトにより駆動され、この駆動ベルトは前記カードに当接しない、カード用プリンタである。
【発明の効果】
【００１４】
以上のように本開示によれば、第１搬送ラインにより搬送されるカードを第２搬送ラインまで移送させる際、第２搬送ライン上で跳ね上がることなく、カードを安定して第２搬送ライン上に載置することができる。
【図面の簡単な説明】
【００１５】
【図１】図１は本実施の形態によるカード用プリンタの保持移送機構を示す詳細図。
【図２】図２はカード用プリンタの保持移送機構を示す斜視図。
【図３】図３はカード用プリンタの全体を示す全体構成図。
【図４】図４（ａ）はＩＣカードの表面を示す図、図４（ｂ）はＩＣカードの裏面を示す図、図４（ｃ）は追記情報ラベルを示す図。
【図５】図５はカード用プリンタの保持移送機構の概略を示す図。
【図６】図６はカード用プリンタの下部回転機構の作用を示す図。
【図７】図７はカード用プリンタの下部回転機構の作用を示す図。
【図８】図８はＩＣカードに対する駆動ローラとニップローラの位置関係を示す図。
【発明を実施するための形態】
【００１６】
＜本実施の形態＞
以下、図面を参照して本実施の形態について説明する。
【００１７】
図１乃至図８は本実施の形態によるカード用プリンタを示す図である。
【００１８】
本実施の形態によるカード用プリンタ２０は、図４（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカード１の裏面３に対して裏面情報３ａを印字し、ＩＣチップ１ａ内に表面情報２ａおよび裏面情報３ａを書込んで、例えば社員カード、銀行カード、運転免許証等のＩＤカードを作製するものである。この場合、裏面情報のうちＩＣカード１の裏面３に印字できない追記情報５ａは、追記情報ラベル５に印字される。
【００１９】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字される。
【００２０】
またカード用プリンタ２０においては、ＩＣカード１のＩＣチップ１ａ内に、表面情報２ａが書込まれる。
【００２１】
さらにカード用プリンタ２０の下流側には、ＩＣカード１のＩＣチップ１ａ内に裏面情報３ａを書き込み、かつＩＣカード１の裏面に裏面情報３ａを印字する裏面書込機能付プリンタ４０が接続されている（図３参照）。
【００２２】
さらにこの裏面書込機能付プリンタ４０には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部２８が接続されている（図３参照）。
【００２３】
次に図３および図５によりＩＣカード１に対して必要な情報を印字し、かつＩＣチップ１ａ内に必要な情報を書込むカード用プリンタ２０の概略を示す。ここで図３はカード用プリンタの全体を示す構成図、図５は保持移送機構の概略構成を示す図である。
【００２４】
図３に示すようにカード用プリンタ２０は、ケーシング２０Ａと、ケーシング２０Ａ内上方に設けられＩＣカード１を積層して収納する４つのカードマガジン２１ａ、２１ｂ、２１ｃ、２１ｄを含むＩＣカード用ホッパー２１と、ＩＣカード用ホッパー２１の各カードマガジン２１ａ、２１ｂ、２１ｃ、２１ｄ内に収納されたＩＣカード１を受け取って搬送するとともに,複数の搬送ローラからなる第１搬送ライン３２と、第１搬送ライン３２に沿って配置されＩＣカード１の表面２に顔画像情報２ｂを印字するＹ印刷（イエロー印刷部）、Ｍ印刷（マゼンタ印刷）Ｃ印刷（シアン印刷）およびＯＰ印刷を施す昇華印刷ユニット２２とを有している。
【００２５】
また昇華印刷ユニット２２の下流側にはＩＣカード１の表面２に表面情報２ａおよびＩＤ情報２ｃを印字する溶融印刷ユニット２３が設けられている。この場合、昇華印刷ユニット２２と溶融印刷ユニット２３とによって印刷部２２、２３が構成されている。
【００２６】
溶融印刷ユニット２３を通過したＩＣカード１は第１搬送ライン３２の出口３２Ａから当接体３２ａに向って送られ、当接体３２ａに当接した後、案内路３２ｂにより案内されて垂直方向を向き、後述する保持移送機構５０を介して第１搬送ライン３２の下方にある第２搬送ライン３３の入口３３Ａへ送られる（図５参照）。なお、第１搬送ライン３２の出口３２Ａに設けられた当接体３２ａと案内路３２ｂは、保持移送機構５０の上部回転機構５１を構成する。
【００２７】
また、後述のように駆動ローラ５５とニップローラ５８とを有する保持移送機構５０内には、これら駆動ローラ５５とニップローラ５８の近傍に、第１リーダライタ（書込部）２７が内蔵されている。この第１リーダライタ２７は、ＩＣカード１のＩＣチップ１ａに表面情報２ａおよびＩＤ情報２ｃを書き込むものである。また第２搬送ライン３３は、第１搬送ライン３２と同様,複数の搬送ローラからなる。
【００２８】
また第２搬送ライン３３に沿って、ＩＣカード１の表面２に印字された表面情報２ａおよび顔画像情報２ｂを保護するためＩＣカード１の表面２上に第１保護シート（図示せず）を設ける第１保護シート形成部２９が設けられ、第１保護シート形成部２９の下流側に第１保護シート上に更に第２保護シート（図示せず）を設ける第２保護シート形成部３０が設けられている。これら第１保護シート形成部２９と第２保護シート形成部３０によって保護シート形成部２９、３０が構成される。
【００２９】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書き込まれたＩＣカード１を受け取り、所定のＩＣカード１毎に収納する４つのカード収納部３５ａ、３５ｂ、３５ｃ、３５ｄを含むカード集積部３５が設けられている。
【００３０】
カード集積部３５に送られたＩＣカード１は、その後必要に応じて裏面書込機能付プリンタ４０および追記情報ラベル発行部２８へ順次送られる。
【００３１】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部４２とを有している。さらに第２リーダライタ４１および裏面印字部４２の上流側に入口スタッカ４０ａが設けられ、第２リーダライタ４１および裏面印字部４２の下流側に出口スタッカ４０ｂが設けられている。またケーシング２０Ａの上部には操作用のタッチパネル２５が取り付けられている。
【００３２】
ところでカード用プリンタ２０および裏面書込機能付プリンタ４０は全体としてプリンタ制御装置２０ａにより駆動制御される。
【００３３】
次に図１および図２により、第１搬送ライン３２と第２搬送ライン３３との間に設けられた保持移送機構５０について説明する。この保持移送機構５０は第１搬送ライン３２の出口３２Ａと第２搬送ライン３３の入口３３Ａとの間に設けられ、ＩＣカード１を第１搬送ライン３２の出口３２Ａから第２搬送ライン３３の入口３３Ａまで保持しながら搬送するものである。
【００３４】
このような保持移送機構５０は、図１に示すように、ＩＣカード１を垂直方向に向けてＩＣカード１を挟持しながら移送する複数の駆動ローラ５５と、各駆動ローラ５５との間でＩＣカード１を挟持するニップローラ（搬送ローラ用ニップローラ）５８とを有する。このうち駆動ローラ５５は、駆動ローラ５５および案内ローラ５６ａに掛け渡された駆動ベルト５６により駆動される。また駆動ベルト５６は図示しない駆動機構により駆動されている。
【００３５】
なお、複数の駆動ローラ５５と、各駆動ローラ５５との間でＩＣカード１を挟持しながらニップするニップローラ５８とによりＩＣカード１を移送する搬送ローラ５５、５８が構成される。
【００３６】
図１および図２に示すように、保持移送機構５０の複数の駆動ローラ５５は垂直方向に並んで配置され、各駆動ローラ５５に対応して設けられたニップローラ５８も垂直方向に並んで配置され、このことにより保持移送機構５０内においてＩＣカード１を垂直方向に向けて下方へ向かって移送することができる。
【００３７】
また、保持移送機構５０には、上述のように第１リーダライタ２７が設けられている。本実施の形態において、保持移送機構５０の駆動ローラ５５とニップローラ５８との間で挟持されたＩＣカード１を、駆動ローラ５５の駆動を停止させることにより第１リーダライタ２７近傍で確実に一旦停止させることができる。このように第１リーダライタ２７近傍で一旦停止したＩＣカード１に対して第１リーダライタ２７により、情報の書き込みを行うことができる。
【００３８】
ところで、図５に示すように第１搬送ライン３２上において、ＩＣカード１は表面２を上方に向けて水平方向に搬送され、保持移送機構５０の上端部に設けられた上部回転機構５１によりＩＣカード１が回転してＩＣカード１の向きが垂直方向に変化する。この場合、上部回転機構５１は当接体３２ａと案内路３２ｂとを有し、この上部回転機構５１により、表面２を上方に向けて水平方向に搬送されたＩＣカード１は回転して、ＩＣカード１の表面２が右側を向くよう垂直方向に姿勢を変えて保持移送機構５０により移送される。
【００３９】
また保持移送機構５０はその下端部に下部回転機構５２が設けられている。この下部回転機構５２は、駆動ベルト５６により駆動される回転ローラ５７と、この回転ローラ５７の周囲を回動する回転フラップ５９とを有し、回転フラップ５９には回転ローラ５７との間でＩＣカード１を挟持するニップローラ（回転フラップ用ニップローラ）５９ａが設けられている。
【００４０】
下部回転機構５２はＩＣカード１が保持移送機構５０により垂直方向に移送されてきた場合、回転ローラ５７の周囲を回転フラップ５９が回動して、このＩＣカード１を回転させてその姿勢を垂直方向から水平方向へ変えて、第２搬送ライン３３側へ送り出すものである。この場合、保持移送機構５０において右側に表面２を向けて垂直方向に移送されてきたＩＣカード１は、表面２を上方に向けて水平方向に向きを変える。
【００４１】
また、回転ローラ５７と回転フラップ５９の下方には、不良品のＩＣカード１をこの回転ローラ５７と回転フラップ５９との間から下方外方へ排出する排出ライン６０が設けられている。
【００４２】
次に図６および図７により、下部回転機構５２について更に述べる。上述のように下部回転機構５２は回転ローラ５７と、回転ローラ５７の周囲を回動する回転フラップ５９とを有し、回転フラップ５９には回転ローラ５７との間でＩＣカード１を挟持するニップローラ（回転フラップ用ニップローラ）５９ａが設けられている。
【００４３】
このうち回転フラップ５９は回動中心Ｌ１を中心として回転ローラ５７の周囲を回動する。この回転フラップ５９の回動中心Ｌ１は、回転ローラ５７の回転中心Ｌ２に一致している。
【００４４】
図６および図７に示すように、回転フラップ５９は垂直方向に搬送されるＩＣカード１がくるまで、垂直位置（図６に示す位置）をとって待機する。ＩＣカード１が回転フラップ５９側へ到達した後、プリンタ制御装置２０ａによって回転フラップ５９が駆動制御されて回転ローラ５７の周囲を回動して水平位置（図７に示す位置）をとる。この間、回転フラップ５９が垂直位置をとってから水平位置をとるまで、ＩＣカード１は回転ローラ５７と回転フラップ５９のニップローラ５９ａとの間で挟持されて回転し、その姿勢が垂直方向から水平方向へ変わるようになっている。
【００４５】
また例えば第１リーダライタ２７によりＩＣカード１のＩＣチップ１ａに適切な情報を書き込むことができない等、不良品のＩＣカード１が発見された場合、第１リーダライタ２７からの情報によりプリンタ制御装置２０ａにより、この不良品のＩＣカード１が特定される。この場合、プリンタ制御装置２０ａは回転フラップ５９を停止させ、回転フラップ５９は垂直位置をとったままとなる。このとき回転ローラ５７と回転フラップ５９との間に達したＩＣカード１は第２搬送ライン３３側へ送られることはなく、排出ライン６０を介して下方外方へ排出される。
【００４６】
なお、第２搬送ライン３３の入口３３Ａには、駆動ベルト５６により駆動する引込ローラ６１とこの引込ローラ６１との間でＩＣカード１を挟持して第２搬送ライン３３側へ引き込むニップローラ６２とが設けられている。
【００４７】
次にこのような構成からなる本実施の形態の作用について説明する。
【００４８】
まずカード用プリンタ２０のＩＣカード用ホッパー２１の各カードマガジン２１ａ〜２１ｄ内に、多数のＩＣカード１が多層に積載されている。
【００４９】
この場合、カードマガジン２１ａ〜２１ｄ内には、印字および書込みがなされていないＩＣカード１が積載されている。
【００５０】
次に印字および書込みがなされていないＩＣカード１が、ＩＣカード用ホッパー２１の各カードマガジン２１ａ〜２１ｄから排出される。その後ＩＣカード１は第１搬送ライン３２へ送られ、ＩＣカード１は第１搬送ライン３２に沿って搬送される。この場合、第１搬送ライン３２上において、ＩＣカード１は表面２を情報に向けて水平方向に搬送される。
【００５１】
第１搬送ライン３２に沿ってＩＣカード１が搬送される際、このＩＣカード１の表面２に対して昇華印刷ユニット２２によりイエロー印刷、マゼンタ印刷、シアン印刷が施され、このようにしてＩＣカード１の表面２に顔画像情報２ｂが印字される。また印字された顔画像情報２ｂ上にＯＰ印刷が施される。
【００５２】
その後ＩＣカード１は第１搬送ライン３２によって溶融印刷ユニット２３に送られ、この溶融印刷ユニット２３においてＩＣカード１の表面２に表面情報２ａおよびＩＤ情報２ｃが印字される。
【００５３】
次にＩＣカード１は水平方向の姿勢を維持したまま、第１搬送ライン３２の出口３２Ａから上部回転機構５１の当接体３２ａに向って送られ、当接体３２ａに当接した後、案内路３２ｂにより案内されて垂直方向を向き、保持移送機構５０に送られる。
【００５４】
次にＩＣカード１はその表面を図５の右側に向けて保持移送機構５０により下方へ送られる。
【００５５】
保持移送機構５０において、ＩＣカード１は駆動ローラ５５とニップローラ５８との間で挟持されながら下方へ向かって移送される。次にＩＣカード１は第１リーダライタ２７近停において停止し、ＩＣカード１のＩＣチップ１ａに対して第１リーダライタ２７から表面情報２ａ、顔画像情報２ｂおよびＩＤ情報２ｃが書き込まれる。
【００５６】
次にＩＣカード１は保持移送機構５０の下部回転機構５２に至る。この際、下部回転機構５２の回転フラップ５９は垂直方向位置をとって待機している（図６参照）。ＩＣカード１が下部回転機構５２に到達すると、図示しない検知器によりＩＣカード１の位置が検知され、ＩＣカード１は回転ローラ５７と回転フラップ５９のニップローラ５９ａとの間で挟持される。次に検知器からの情報に基づいてプリンタ制御装置２０ａが回転フラップ５９を駆動制御する。具体的には回転フラップ５９が回転ローラ５７の周囲を回動し、水平方向位置をとるようＩＣカード１を回転させて、垂直方向を向いていたＩＣカード１の姿勢を変えて水平方向に向かせる（図７参照）。この場合、ＩＣカード１の表面２は、上方を向く。
【００５７】
このようにＩＣカード１の向きを水平方向に変えた後、下部回転機構５２からＩＣカード１は引込ローラ６１とニップローラ６２を経て第２搬送ライン３３側へ送られる。第２搬送ライン３３上において、ＩＣカード１はその表面２を上方に向けて水平方向の搬送される。
【００５８】
なお、保持移送機構５０に送られてきたＩＣカード１が不良品の場合、例えば第１リーダライタ２７によりＩＣカード１のＩＣチップ１ａに適切な情報を書き込むことができない場合、第１リーダライタ２７からの情報によりプリンタ制御装置２０ａによって不良品のＩＣカード１が特定される。この場合はプリンタ制御装置２０ａにより下部回転機構５２の回転フラップ５９が回転ローラ５７の周囲を回動することはなく、回転ローラ５７とニップローラ５９ａとの間からＩＣカード１が排出ライン６０を経て下方外方へ排出される。
【００５９】
この間、搬送ローラ５５，５８の駆動ローラ５５およびニップローラ５８、回転ローラ５７およびニップローラ５９ａ、および引込ローラ６１およびニップローラ６２は、ＩＣカード１の印刷領域１Ｂの外方の外方領域１Ａにおいて、ＩＣカード１に当接する（図８参照）。図８はＩＣカード１に対する駆動ローラ５５およびニップローラ５８の位置関係を示す図であるが、回転ローラ５７およびニップローラ５９ａ、および引込ローラ６１およびニップローラ６２も図８に示す駆動ローラ５５およびニップローラ５８と同様、ＩＣカードの印刷領域１Ｂの外方の外方領域１Ａにおいて、ＩＣカード１に当接する。
【００６０】
図８に示すように、駆動ローラ５５は回転軸５５ａと、駆動ベルト５６が係合するベルト係合部５５ｂとを有し、駆動ローラ５５はその当接面５５ｃにおいてＩＣカード１の外方領域１Ａに当接している。またニップローラ５８は回転軸５８ａを有し、ニップローラ５８はその当接面５８ｃにおいてＩＣカード１の外方領域１Ａに当接している。
【００６１】
ここでＩＣカード１の外方領域１ＡとはＩＣカード１上において印刷される印刷領域１Ｂ以外の外方領域をいうが、外方領域１Ａは印刷領域１Ｂの外縁をなす罫線１Ｃから更に３ｍｍ程度離れていることが好ましい（図４（ａ）（ｂ）参照）。
【００６２】
上述のように、表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００６３】
次にＩＣカード１は第２搬送ライン３３により搬送され、カード集積部３５に達する。ＩＣカード１はこのカード集積部３５の所定のカード収納部３５ａ、３５ｂ、３５ｃ、３５ｄ内に振り分けられて収納される。
【００６４】
次にＩＣカード１は、必要に応じて、裏面書込機能付プリンタ４０へ送られる。そしてＩＣカード１はこの裏面書込機能付プリンタ４０内において、第２リーダライタ４１によりＩＣチップ１ａ内に裏面情報３ａが書込まれ、続いて裏面印字部４２によりＩＣカード１の裏面３に裏面情報３ａが印字される。
【００６５】
このようにしてカード用プリンタ２０および裏面書込機能付プリンタ４０によって、ＩＣカード１に対する印字および書込作業が終了し、印字および書込済のＩＣカード１が得られる。
【００６６】
なお、カード用プリンタ２０および裏面書込機能付プリンタ４０における各構成部分は、上述のようにプリンタ制御装置２０ａにより駆動制御される。
【００６７】
印字すべき裏面情報がないと判断されたＩＣカード１は、裏面書込機能付プリンタ４０を経ることなく外方へ排出される。
【００６８】
次に裏面書込機能付プリンタ４０を経たＩＣカード１は、必要に応じて追記情報ラベル発行部２８に送られる。この追記情報ラベル発行部２８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００６９】
以上のように本実施の形態によれば、第１搬送ライン３２により水平方向に搬送されたＩＣカード１を保持移送機構５０により駆動ローラ５５とニップローラ５８との間で挟持しながら垂直方向に搬送し、次に下部回転機構５２によりＩＣカード１の姿勢を垂直方向から水平方向に変えて第２搬送ライン３３により水平方向に搬送することができる。この場合、下部回転機構５２の回転ローラ５７の周囲を回転フラップ５９が回動することにより、回転ローラ５７と回転フラップ５９のニップローラ５９ａによりＩＣカード１を挟持しながら、ＩＣカード１の姿勢を垂直方向から水平方向へ確実に変えることができる。また、保持移送機構５０により移送されるＩＣカード１を第１リーダライタ２７近傍において確実に停止させることができる。
【００７０】
このためＩＣカード１を第１搬送ライン３２から第２搬送ライン３３まで自然落下させる場合に比べて、第２搬送ライン３３上において跳ね上がることはなく、ＩＣカード１を安定して第２搬送ライン３３上に載置することができる。また、保持移送機構５０により移送されるＩＣカード１を確実に第１リーダライタ２７近傍において停止させることができ、このことによりＩＣカード１に対して第１リーダライタ２７から確実に情報の書き込みを行うことができる。
【００７１】
なお上記実施の形態において、ＩＣカード１に対してカード用プリンタ２０により印刷を施す例を示したが、ＩＣチップ１ａをもたないカードに対してカード用プリンタ２０により印刷を施してもよい。
【符号の説明】
【００７２】
１  ＩＣカード
１ａ  ＩＣチップ
２０  カード用プリンタ
２０ａ  プリンタ制御装置
２１  ＩＣカード用ホッパー
２１ａ〜２１ｄ  カードマガジン
２２  昇華印刷ユニット
２３  溶融印刷ユニット
２７  第１リーダライタ
２９  第１保護シート形成部
３０  第２保護シート形成部
３２  第１搬送ライン
３２Ａ  出口
３３  第２搬送ライン
３３Ａ  入口
５０  保持移送機構
５１  上部回転機構
５２  下部回転機構
５５  駆動ローラ
５７  回転ローラ
５８  ニップローラ（搬送ローラ用ニップローラ）
５９  回転フラップ
５９ａ  ニップローラ（回転フラップ用ニップローラ）
６０  排出ライン
Ｌ１  回転フラップの回動中心
Ｌ２  回転ローラの回転中心
【図１】
2020111450.tif 000003
【図２】
2020111450.tif 000004
【図３】
2020111450.tif 000005
【図４】
2020111450.tif 000006
【図５】
2020111450.tif 000007
【図６】
2020111450.tif 000008
【図７】
2020111450.tif 000009
【図８】
2020111450.tif 000010